(57)【要約】 【課題】  ストッパーがシリンダ内の後端部へ引き戻された場合でも、ストッパーのシリンダからの抜け出しと変形による薬液漏れや薬液への空気の混入とを確実に防止する。【解決手段】  容器兼用注射器１は、後端の外周部にフィンガーグリップ２が設けられたシリンダ３と、シリンダ３内にその軸方向に往復動可能に挿入されてシリンダ３内に充填された薬剤を封止するストッパー４と、シリンダ３内にその後端から挿入されて先端部５ａをストッパー４に連結され、ストッパー４を往復動させるプランジャーロッド５とを備え、シリンダ３内には、シリンダ３の内径Ｄ１より小径でプランジャーロッド５の外径Ｄ２より大径のロッド挿通穴７を有する所定長さＬの円筒状のストッパー抜け止め部材６が、シリンダ３の後端から先端側方向に向けて装着されている。【選択図】      図１
2005118222.tif 000002
【特許請求の範囲】
【請求項１】
後端の外周部にフィンガーグリップが設けられたシリンダと、該シリンダ内に往復動可能に挿入されてシリンダ内に充填された薬剤を封止するストッパーと、前記シリンダ内にその後端から挿入されて前記ストッパーを往復動させるプランジャーロッドとを備えた容器兼用注射器であって、
前記シリンダ内には、該シリンダの内径より小径で前記プランジャーロッドの外径より大径のロッド挿通穴を有する所定長さの円筒状のストッパー抜け止め部材が、シリンダの後端から先端側方向に向けて装着されていることを特徴とする容器兼用注射器。
【請求項２】
前記ストッパー抜け止め部材が前記シリンダの後端の外周部に嵌着して設けられるフィンガーグリップに一体に形成されていることを特徴とする請求項１に記載の容器兼用注射器。
【請求項３】
後端の外周部にフィンガーグリップが設けられたシリンダと、該シリンダ内に往復動可能に挿入されてシリンダ内に充填された薬剤を封止するストッパーと、前記シリンダ内にその後端から挿入されて前記ストッパーを往復動させるプランジャーロッドとを備えた容器兼用注射器であって、
前記シリンダ内には、該シリンダの内径より小径で前記プランジャーロッドの外径より大径のロッド挿通穴を有するストッパー抜け止め部が、シリンダの後端から先端側へ所定距離隔てた位置までの規定領域においてシリンダに一体に形成して設けられていることを特徴とする容器兼用注射器。
【請求項４】
前記ストッパー抜け止め部が前記規定領域の前端位置と後端位置とに形成された一対の断面円弧状の環状突起からなることを特徴とする請求項３に記載の容器兼用注射器。
【請求項５】
前記ストッパー抜け止め部材の所定長さおよび前記ストッパー抜け止め部の規定領域の長さが前記シリンダの内径の０．５〜２．０倍に設定され、前記プランジャーロッドの外径がロッド挿通穴の直径の０．７〜０．９５倍に設定されていることを特徴とする請求項１〜４のいずれかに記載の容器兼用注射器。
【発明の詳細な説明】
【技術分野】
【０００１】
本発明は、薬液を予め充填、保管しておき使用時に包装から取り出して直ぐに使用する容器兼用注射器に関するものである。
【背景技術】
【０００２】
薬剤を充填されて提供される容器兼用注射器は、通常の使用方法ではプランジャーロッドを押し込んで薬剤封止用のストッパーを移動させることにより、注射器内の薬剤を筒先から注射器等を通して投与したり、輸液回路等に混注したりすることが主であり、プランジャーロッドを引き戻すことは少ない。
しかしながら、注射器内に別の医薬品を吸引して２種以上の医薬品を混合して注射する混注の場合や血管内に注射する時のフラッシュバック（注射針が正しく血管内に入っているかを確認するために、一度プランジャーロッドを引き戻すことにより、血液を注射器内に吸引する行為）や、コネクターを介して輸液回路に薬剤を混注する場合等にプランジャーロッドを引き戻す操作を行う。特に、輸液回路に医薬品を注入する時等は、薬液を回路まで到達させるために、プランジャーロッドを何回も押し引きして分岐回路の途中にある薬剤を送り込む等の操作をすることがある。このような操作を行うと、注射器のシリンダからプランジャーロッドと一緒にストッパーが抜けてしまうことがある。このため、容器兼用注射器に限らず注射器にはストッパーがシリンダから誤って抜け出ないように何らかのストッパー抜け止め手段が付いていることが望ましく、そのようなストッパー抜け止め手段を設けた容器兼用注射器も種々実用に供されている。
従来、容器兼用注射器として、ガラス製シリンダの後端にストッパー抜け止めの付いた指掛部品を嵌着しているもの、ガラス製または合成樹脂製シリンダの後端に小フランジを成形し、その小フランジに指掛部とストッパー抜け止め部を設けたフィンガーグリップを取り付けたもの等が知られている（例えば、特許文献１、特許文献２参照。）。
【特許文献１】特開２０００−３３４０４３号公報（図１〜図３）
【特許文献２】特許第２８１４９８３号公報（図１、図２、図７、図１６）
【発明の開示】
【発明が解決しようとする課題】
【０００３】
上記従来の容器兼用注射器のストッパー抜け止め手段は、前記指掛部品とフィンガーグリップに、シリンダの内径（ストッパーの外径）より小径でプランジャーロッドの外径より大径の穴を有する環状フランジを、シリンダの後端において内周側に突出するように形成したものであり、ストッパーにねじ込みまたは嵌合により連結されたプランジャーロッドが引き戻された時に、前記ストッパーが前記環状フランジに当接することによりシリンダの後端から抜け出ないようにしたものである。
しかしながら、前記ストッパ抜け止め手段では、ストッパーがストッパー抜け止めの位置（シリンダの後端）までプランジャーロッドが引き戻された時には、プランジャーロッドに横の力が加わって該プランジャーロッドがシリンダ軸線に対して傾斜した状態になると、ストッパーは、柔らかく変形し易いゴム製であるため、シリンダ内周に片当たりして変形し、シリンダとの間の気密性が保持できなくなり、薬剤の液漏れや外部から薬剤への空気の混入のおれがある。また、同時にストッパーの変形はプランジャーロッドがストッパーとのねじ込み部や嵌合部から外れるおそれがあった。
【０００４】
本発明は、上記事情に鑑みてなされたものであって、ストッパーがシリンダ内の後端部へ引き戻された場合でも、ストッパーのシリンダからの抜け出しとストッパーの変形による薬液漏れや薬液への空気の混入とを確実に防止することができる容器兼用注射器を提供することを目的とする。
【課題を解決するための手段】
【０００５】
本発明は、前記課題を解決するために、以下の点を特徴としている。
すなわち、請求項１に係る容器兼用注射器は、後端の外周部にフィンガーグリップが設けられたシリンダと、該シリンダ内に往復動可能に挿入されてシリンダ内に充填された薬剤を封止するストッパーと、前記シリンダ内その後端から挿入されて前記ストッパーを往復動させるプランジャーロッドとを備えた容器兼用注射器であって、
前記シリンダ内には、該シリンダの内径より小径で前記プランジャーロッドの外径より大径のロッド挿通穴を有する所定長さの円筒状のストッパー抜け止め部材が、シリンダの後端から先端側方向に向けて装着されていることを特徴としている。
【０００６】
この容器兼用注射器においては、前記プランジャーロッドをシリンダの後端部側へ引き戻した場合に、前記シリンダ内に後端部から先端側方向に向けて装着されたストッパー抜け止め部材が、その前端部でストッパーを受け止めるので、該ストッパーが不意にシリンダから抜け出てしまうおそれはなく、後端部に引き戻されたプランジャーロッドに横方向の力が加わっても、その横方向の振れを可及的に小さく抑えられる。また、ストッパー抜け止め部材は、そのロッド挿通穴によってプランジャーロッドを案内する役目を果たすので、注射等を行う場合に、プランジャーロッドの傾きが機能に差し支えない範囲に抑えられて、プランジャーロッドの操作が円滑に行える。
【０００７】
請求項２に係る容器兼用注射器は、請求項１に記載の容器兼用注射器において、前記ストッパー抜け止め部材が前記シリンダの後端の外周部に嵌着して設けられるフィンガーグリップに一体に形成されていることを特徴としている。
この容器兼用注射器においては、前記ストッパー抜け止め部材がフィンガーグリップに一体に形成されてシリンダに装着されるので、それらを別々に製造する面倒がなくなると共に、シリンダにフィンガーグリップを形成しなくて済み、シリンダの材料の選択や製作上の自由度が増し、その製作が容易に行える。
【０００８】
請求項３に係る容器兼用注射器は、前記後端の外周部にフィンガーグリップが設けられたシリンダと、該シリンダ内に往復動可能に挿入されてシリンダ内に充填された薬剤を封止するストッパーと、前記シリンダ内にその後端から挿入されて前記ストッパーを往復動させるプランジャーロッドとを備えた容器兼用注射器であって、
前記シリンダ内には、該シリンダの内径より小径で前記プランジャーロッドの外径より大径のロッド挿通穴を有するストッパー抜け止め部が、シリンダの後端から先端側へ所定距離隔てた位置までの規定領域においてシリンダに一体に形成して設けられていることを特徴としている。
この容器兼用注射器においては、前記シリンダにストッパー抜け止め部が一体に形成されるので、ストッパー抜け止め部材を別途に製作してシリンダに装着する組み付け作業が不要となり、容器兼用注射器の製造が容易となる。
【０００９】
請求項４に係る容器兼用注射器は、請求項３に係る容器兼用注射器において、前記ストッパー抜け止め部が前記規定領域の前端位置と後端位置とに形成された一対の断面円弧状の環状突起からなることを特徴としている。
この容器兼用注射器においては、前記ストッパーを、シリンダ内にその後端から挿入して装着させる場合、ストッパーが前記環状突起をその円弧状部を介して損傷することなく、円滑に通過されてシリンダ内へ容易に挿入される。
【００１０】
請求項５に係る容器兼用注射器は、請求項１〜４のいずれか記載の容器兼用注射器において、前記ストッパー抜け止め部材の所定長さおよび前記ストッパー抜け止め部の規定領域の長さが前記シリンダの内径の０．５〜２．０倍に設定され、前記プランジャーロッドの外径がロッド挿通穴の直径の０．７〜０．９５倍に設定されていることを特徴としている。
この容器兼用注射器においては、前記ロッド挿通穴に対する、前記ストッパー抜け止め部材の所定長さと前記ストッパー抜け止め部の規定領域の長さおよび前記プランジャーロッドの外径が、それぞれ、特定範囲に設定されているので、前記プランジャーロッドの操作時の傾きや、ストッパーを後端に引き戻した時の横方向への振れが一層的確に規制される。
【発明の効果】
【００１１】
本発明によれば、以下の優れた効果を奏する。
請求項１に係る容器兼用注射器によれば、プランジャーロッドをシリンダの後端部側へ引き戻した場合に、前記シリンダ内に後端部から先端側方向に向けて装着されたストッパー抜け止め部材が、その前端部でストッパーを受け止めるので、該ストッパーが不意にシリンダから抜け出てしまうのを確実に防止することができる。また、後端部に引き戻されたプランジャーロッドに横方向の力が加わっても、その横方向の振れを可及的に小さく抑えることができ、これにより、ストッパーの変形による薬剤のシリンダからの漏れや薬剤への空気の混入を確実に防止することができる。さらに、ストッパー抜け止め部材が、そのロッド挿通穴によってプランジャーロッドを案内する役目を果たすので、注射等を行う場合に、プランジャーロッドの傾きを機能に差し支えない範囲に抑えることができて、プランジャーロッドの操作を円滑に行うことができる。
【００１２】
請求項２に係る容器兼用注射器によれば、ストッパー抜け止め部材がフィンガーグリップに一体に形成されてシリンダに装着されるので、それらを別々に製造する面倒がなくなると共に、シリンダにフィンガーグリップを形成しなくて済み、シリンダの材料の選択や製作上の自由度が増し、その製作を容易に行うことができる。
請求項３に係る容器兼用注射器によれば、請求項１に係る容器兼用注射器と同様な効果を奏するほかに、シリンダにストッパー抜け止め部が一体に形成されるので、ストッパー抜け止め部材を別途に製作してシリンダに装着する組み付け作業が不要となり、容器兼用注射器の製造を容易に行うことができる。
【００１３】
請求項４に係る容器兼用注射器によれば、ストッパーを、シリンダ内にその後端から挿入して装着させる場合、ストッパーが前記シリンダ内の環状突起をその円弧状部を介して損傷することなく、円滑に通過させて、シリンダ内へ容易に挿入させることができる。
請求項５に係る容器兼用注射器によれば、ストッパー抜け止め部材やストッパー抜け止め部のロッド挿通穴に対する、前記ストッパー抜け止め部材の長さ、前記ストッパー抜け止め部の規定領域の長さ、およびプランジャーロッドの外径が、それぞれ、特定範囲に設定されているので、前記プランジャーロッドの操作時の傾きや、ストッパーをシリンダの後端に引き戻した時の横方向へ働く力による振れを一層的確に小さく規制することができる。
【発明を実施するための最良の形態】
【００１４】
以下、本発明の実施の形態に係る容器兼用注射器について、添付図面を参照して説明する。
図１、図２は本発明の第１の実施の形態に係る容器兼用注射器１を示す。この容器兼用注射器１は、後端の外周部にフィンガーグリップ２が一体に設けられた円筒状のシリンダ３と、該シリンダ３内にその軸方向に往復動可能に挿入されてシリンダ内に充填された薬液（薬剤）を封止するストッパー４と、前記シリンダ３内にその後端から挿入されて先端部５ａを前記ストッパー４に連結され、該ストッパー４をシリンダ３の軸方向に往復動させるプランジャーロッド５と、前記シリンダ３内にその後端から先端側方向に向けて形成された、シリンダ３の内径より大径の装着穴３ａに装着されたストッパー抜け止め部材６とを備えている。
前記シリンダ３の先端部には、図示しないが、ルアーチップ型やルアーロック型の筒先が嵌着され、もしくは一体成形により設けられる。
【００１５】
前記フィンガーグリップ２は、図２に示すように、後面視（イ矢視）で輪郭が円弧状辺を有する矩形状に形成され、その長辺方向（図２で上下方向）の両端部分が指掛部２ａ，２ａとされている。そして、フィンガーグリップ２の後端２ｃには、前記装着穴３ａの直径方向の外側に位置して、前記長辺方向に直角な短辺方向に平行な一対の段部２ｄ，２ｄが設けられ、該段部２ｄ，２ｄには、そのシリンダ３の軸方向における端部であって段部２ｄ，２ｄの前記短辺方向の略中央の位置に、前記指掛部２ａ，２ａの方向（シリンダ３の直径方向の両外側）に突き出した、後面視でシリンダ３の軸心を中心とする円弧状の一対の突起部（係止部）２ｅ，２ｅが一体に設けられている。
【００１６】
また、前記ストッパー抜け止め部材６は、前記シリンダ３の内径Ｄ１より小径で前記プランジャーロッド５の外径Ｄ２より大径の直径Ｄ３とした前記プランジャーロッド５を挿通させるためのロッド挿通穴７を有する所定長さＬの円筒状部８と、該円筒状部８の後端外周に一体に結合され平板状のフランジ部９とを備え、ポリエチレン、ポリプロピレン等の比較的に柔軟性がある合成樹脂で一体成形によって構成されている。
そして、前記円筒状部８の長さＬは前記シリンダ３の内径Ｄ１の０．５〜２．０倍に設定され、前記プランジャーロッド５の外径Ｄ２は前記ロッド挿通穴５の直径Ｄ３の０．７〜０．９５に設定されている。なお、前記ロッド挿通穴７の直径Ｄ３は前記ストッパー４の谷径もしくは後端外径Ｄ４より僅かに小径とされている。
【００１７】
また、前記フランジ部９は、前記フィンガーグリップ２よりやや小さく、それと相似形に形成され、長辺方向をフィンガーグリップ２の長辺方向に一致させた状態で、前面９ａがフィンガーグリップ２の段部２ｄの後端面２ｆに当接されている。前記フランジ部９には、その長辺方向の両側（図２で上下の両側）に、前記フィンガーグリップ２の段部２ｄ，２ｄに近接してそれに沿った切欠面９ｂ，９ｂを有し、前記フィンガーグリップ２の後端２ｃ側（図１で左方側）へ突き出した突出部９ｃ，９ｃが設けられている。該突出部９ｃ，９ｃには、前記フィンガーグリップ２の円弧状の突起部２ｅ，２ｅが嵌合する一対の円弧状の係止溝（係合部）９ｄ，９ｄが形成されている。前記フィンガーグリップ２の突起部２ｅ，２ｅと前記フランジ部９の係止溝９ｄ，９ｄとは、前記ストッパー抜け止め部材６がシリンダ３の装着穴３ａに装着後にそれからの不意に離脱するのを防止する係止手段１０を構成している。前記ストッパー抜け止め部材６は、前記円筒状部８が前記シリンダ３の装着穴３ａに装着され、前記係止手段１０によってフィンガーグリップ２に係止されることにより、シリンダ３内に保持されるようになっている。
なお、前記シリンダ３の内側に装着穴３ａを設けずに、シリンダ３の内径部に前記円筒状部８を嵌合、装着させるようにすることもできる。
【００１８】
前記容器兼用注射器１においては、図３に示すように、前記プランジャーロッド５をシリンダ３の最後端部へ引き戻した場合に、前記シリンダ３内に円筒状部８を装着されたストッパー抜け止め部材６が、円筒状部８の前端部にストッパー４の後端部を当接させて該ストッパー４を受け止めるので、該ストッパー４が不意にシリンダ３から抜け出てしまうおそれはない。そして、前記円筒状部８がシリンダ３内にその後端部から先端側方向に向けて所定長さＬにわたって装着されている場合には、図３（ａ）示すように、後端部に引き戻されたプランジャーロッド５に横方向（直径方向）の力が加わって、柔らかいストッパー４が変形し、プランジャーロッド５が横方向に振れ（シリンダ３の軸線に対して傾斜し）ても、その振れが前記ロッド挿通穴７の外端部で規制されるので、プランジャーロッド５の横方向の振れ（傾斜）角度θ１が、図３（ｂ）に示すようなシリンダ３内に装着される円筒状部８Ｅの長さＬｏが短いストッパー抜け止め部材６Ｅの場合に生ずる振れ角度θ２に比べて可及的に小さく抑えられ、前記ストッパー４の変形も小さくて済む。したがって、ストッパー４とシリンダ３と間の気密性が確保され、シリンダ３内の薬液の液漏れや薬液に気泡が入り込むのを防ぐことができる。また、ストッパー抜け止め部材６は、そのロッド挿通穴７によってプランジャーロッド５を案内する役目を果たすので、注射等を行う場合に、プランジャーロッド５の傾きが機能に差し支えない範囲に抑えられて、プランジャーロッド５の操作が円滑に行える。
【００１９】
これらの作用、効果は、前記ストッパー抜け止め部材６の円筒状部８の長さＬが前記シリンダ３の内径Ｄ１の０．５〜２．０倍に設定され、前記プランジャーロッド５の外径Ｄ２は前記ロッド挿通穴５の直径Ｄ３の０．７〜０．９５倍に設定されることにより、好適に発揮される。
前記ストッパー抜け止め部材６の円筒状部８の長さＬを、上記上限を越えて長くすると、プランジャーロッド５の傾斜角度θ１を小さく抑えるのに有利であるが、その長さ分シリンダ３が長くなるばかりでなく、円筒状部８のシリンダ３への組み込みが難しくなり、ストッパー４の最後端位置がシリンダ３の前側に進んだ位置となるので、同じ容量のシリンダ３を製作しても薬液を入れる容積が小さくなる。前記円筒状部８の長さＬが上記下限に満たない範囲であると、前記プランジャロッド５の傾斜角度θ１を適度に小さくすることができない。前記円筒状部８のロッド挿通穴７の直径Ｄ３は、ストッパー４の後端外径（バリ径）Ｄ４よりなるべく小さい方がストッパー４の抜け止めとして確実に働くが、シリンダ３に前記円筒状部８を嵌合してから薬液を充填し、最後にストッパー４をスリーブ挿入するのが一般的であるので、円筒状部８の挿通穴７の直径Ｄ３はストッパー４のシリンダ３への挿入が難しくならない範囲に止める。また、前記プランジャーロッド５の外径（軸径）Ｄ２は、前記円筒状部８の挿通穴７の直径Ｄ３になるべく近い寸法で隙間があまり無い方がよいが、組立や使用時に円筒状部８の挿通穴７の内面に接触しない余裕を取っておく必要があり、前記ロッド挿通穴７の直径Ｄ３の０．７〜０．９５倍に設定するのが好ましい。
【００２０】
次に、図４、図５は本発明の第２の実施の形態に係る容器兼用注射器１Ａを示す。
この容器兼用注射器１Ａは、シリンダ３の後端部側に、シリンダ３の後端部側の直径が大きく内側の直径が小さくなるように傾斜したテーパ穴として形成された装着穴１１が設けられ、該装着穴１１に、外周部が装着穴１１のテーパ穴に整合するテーパ軸部１２ａとした円筒状のストッパー抜け止め部材１２が嵌合して装着され、前記テーパ軸部１２ａの外周にその軸方向（図４で左右方向）に沿いかつ周方向に所定間隔をあけて一体に設けたリブ（突条）１２ｂが、第１の実施の形態に係る容器兼用注射器１の係止手段１０に代わる係止手段１０Ａとして構成されたものである。前記ストッパー抜け止め部材１２は、第１の実施の形態に係る容器兼用注射器１と同様な柔軟性、弾力性を有する合成樹脂で成形されていると共に、長さ寸法Ｌとシリンダ３の内径Ｄ１との関係寸法や、前記プランジャーロッド５の外径Ｄ２と挿通穴７の直径Ｄ３との関係寸法が第１の実施の形態に係る容器兼用注射器１と同様に設定されている。
なお、この容器兼用注射器１Ａのフィンガーグリップ２の後端面２ｃは前記シリンダ３の軸線に直交する平坦な面に形成されている。
その他の構成は第１の実施の形態に係る容器兼用注射器１と同様であるので、同一の部分には同一の符号を付してそれらの説明は省略する。
【００２１】
第２の実施の形態に係る容器兼用注射器１Ａにおいては、第１の実施の形態に係る容器兼用注射器１と同様に、ストッパー抜け止め部材１２によるストッパー抜け防止、プランジャーロッド５の案内、横振れ防止の作用、効果が奏されるほか、シリンダ３の装着穴１１とストッパー抜け止め部材１２の外周部とが、互いに整合するテーパ穴とテーパ軸部１２ａとなっているので、前記装着穴１１へストッパー抜け止め部材１２を押し込むことによって容易に嵌合させることができる。その嵌合の際、前記ストッパー抜け止め部材１２のリブ１２ｂが装着穴１１の内面によって押し潰されるように弾性変形しながら装着穴１１に圧入され、圧入後変形したリブ１２ｂの復元力にもとづいて装着穴１１との間に生じる摩擦力が作用するので、ストッパー抜け止め部材１２が装着穴１１から簡単に抜け出ないように保持される。また、前記ストッパー抜け止め部材１２は構造が極めて簡単でであって製作が容易であり、シリンダ３への組付けも簡単に行うことができる。
【００２２】
次に、図６は本発明の第３の実施の形態に係る容器兼用注射器１Ｂを示す。
この容器兼用注射器１Ｂは、前記容器兼用注射器１，１Ａにおいて、シリンダ３の後端にフィンガーグリップ２が一体に設けられているのに対して、ガラス製のシリンダ１３の後端部の外周にフィンガーグリップ１４が嵌着して設けられると共に、前記シリンダ１３の先端部にルアーチップ型またはルアーロック型の筒先１５を嵌着した構成とされている。前記フィンガーグリップ１４は、シリンダ１３の後端部（図６の右端）の外周に嵌着された嵌合筒部１４ａと、両端に指掛部１４ｂ，１４ｂを有し嵌合筒部１４ａの後端に嵌合筒部１４ａ（シリンダ１３）の軸線に直交するように一体に形成した平板状のフランジ部１４ｃとを備え、該フランジ部１４ｃの後面視の輪郭形状は前記容器兼用注射器１，１Ａのフィンガーグリップ２の輪郭形状と同様とされている。
前記フィンガーグリップ１４の嵌合筒部１４ａの内側には、それと同心の円筒部からなるストッパー抜け止め部１６が、前記フランジ部１４ｃの中央部に一体成形により、嵌合筒部１４ａと同じ方向に所定長さＬだけ延長して設けられ、該嵌合筒部１４ａが前記シリンダ１３の内径部に嵌着されており、前記嵌合筒部１４ａにはロッド挿通穴７が設けられている。
【００２３】
前記ストッパー抜け止め部１６は、フィンガーグリップ１４と一緒に第１の実施の形態に係る容器兼用注射器１と同様な柔軟性、弾力性を有する合成樹脂で成形されていると共に、長さ寸法Ｌとシリンダ３の内径Ｄ１との関係寸法や、前記プランジャーロッド５の外径Ｄ２と挿通穴７の直径Ｄ３との関係寸法が第１の実施の形態に係る容器兼用注射器１と同様に設定されている。
その他の構成は第１の実施の形態に係る容器兼用注射器１と同様であるので、同一の部分には同一の符号を付してそれらの説明は省略する。
第３の実施の形態に係る容器兼用注射器１Ｂにおいては、第１の実施の形態に係る容器兼用注射器１と同様に、ストッパー抜け止め部１６によるシリンダ１３からのストッパー４の抜け防止、プランジャーロッド５の案内、横振れ防止の作用、効果が奏されるほか、前記ストッパー抜け止め部１６がフィンガーグリップ１４に一体に形成されてシリンダ１３に装着されるので、それらを別々に製造する面倒がなくなると共に、シリンダ１３にフィンガーグリップを形成しなくて済み、シリンダ１３の材料の選択や製作上の自由度が増し、その製作が容易に行える。
【００２４】
図７は本発明の第４の実施の形態に係る容器兼用注射器１Ｃを示す。
この容器兼用注射器１Ｃは、後端に前記容器兼用注射器１，１Ａと同様にフィンガーグリップ２を一体成形により設けた合成樹脂製のシリンダ１７の先端に、前記容器兼用注射器１Ｂと同様な筒先１５を備えている。前記シリンダ１７の後端部側には、該シリンダ１７の内径Ｄ１より小径で前記プランジャーロッド５の外径Ｄ２より大径のロッド挿通穴７を有するストッパー抜け止め部１８が、シリンダ１７の後端から先端側へ所定距離Ｌ隔てた位置までの規定領域Ｒにおいてシリンダ１７に一体に形成して設けられている。
前記ストッパー抜け止め部１８は、その長さ寸法Ｌと前記シリンダ１７の内径Ｄ１との関係寸法や、前記プランジャーロッド５の外径Ｄ２と挿通穴７の直径Ｄ３との関係寸法が第１の実施の形態に係る容器兼用注射器１と同様に設定されている。
その他の構成は第１の実施の形態に係る容器兼用注射器１と同様であるので、同一の部分には同一の符号を付してそれらの説明は省略する。
第４の実施の形態に係る容器兼用注射器１Ｃにおいては、第１の実施の形態に係る容器兼用注射器１と同様に、ストッパー抜け止め部１８によるストッパー４のシリンダ１７からの抜け防止、プランジャーロッド５の案内、横振れ防止の作用、効果が奏されるほか、前記シリンダ１７にストッパー抜け止め部１８が一体に形成されるので、ストッパー抜け止め部材を別途に製作してシリンダ１７に装着する組み付け作業が不要となり、容器兼用注射器１Ｃの製造が容易となる。また、前記シリンダ１７の先端が開放された状態で成形されるため、成形用金型の設計によりシリンダ１７の内部に無理抜きをせずにストッパー抜け止め部１８を成形することができ、この点からも製造が容易である。
【００２５】
また、図８は本発明の第５の実施の形態に係る容器兼用注射器１Ｄを示す。
この容器兼用注射器１Ｄは、先端にルアーチップ型の筒先１９を後端にフィンガーグリップ２を一体に形成した、ポリプロピレンやポリエチレン等の軟質剛性樹脂製のシリンダ１７Ａを備え、その後端側に設けたストッパー抜け止め部２０が、前記容器兼用注射器１Ｃのストッパー抜け止め部１８の前端部と後端部（前記規定領域Ｒの前端位置と後端位置）に相当する部分に、断面円弧状とされた一対の環状突起１８ａ，１８ａを設けた構成とされている。前記各環状突起１８ａ，１８ａの相互間は前記シリンダ１７Ａの内径Ｄ１と同じ内径の軸穴１８ｂとなっており、各環状突起１８ａ，１８ａの内側が直径Ｄ３を有するロッド挿通穴１８ｃとなっている。
そして、前記ストッパー抜け止め部２０は、その長さ寸法（前記規定領域Ｒの前端位置から後端位置に至る長さ）Ｌと前記シリンダ１７Ａの内径Ｄ１との関係寸法や、前記プランジャーロッド５の外径Ｄ２と挿通穴１８ｃの直径Ｄ３との関係寸法が第１の実施の形態に係る容器兼用注射器１と同様に設定されている。
その他の構成は第１の実施の形態に係る容器兼用注射器１と同様であるので、同一の部分には同一の符号を付してそれらの説明は省略する。
【００２６】
第５の実施の形態に係る容器兼用注射器１Ｄにおいては、第１の実施の形態に係る容器兼用注射器１と同様に、ストッパー抜け止め部２０によるストッパー４のシリンダ１７Ａからの抜け防止、プランジャーロッド５の案内、横振れ防止の作用、効果が奏されるほか、前記ストッパー４を、シリンダ１７Ａ内にその後端から挿入して装着させる場合、ストッパー４が前記シリンダ１７Ａ内の環状突起１８ａ，１８ａをその円弧状部を介して損傷することなく、円滑に通過させて、シリンダ１７Ａ内へ容易に挿入させることができる。
また、前記シリンダ１７Ａがその内部にストッパー抜け止め部２０を一体成形したものであるが、軟質合成樹脂製であり、かつ環状突起１８ａ，１８ａが断面円弧状となっているので、その特性を利用して金型が無理抜き成形の設計構造であっても容易に製造することができる。
【図面の簡単な説明】
【００２７】
【図１】本発明の第１の実施の形態に係る容器兼用注射器を示す縦断面図である。
【図２】図１のイ矢視図である。
【図３】本発明の第１の実施の形態に係る容器兼用注射器と参考例の容器兼用注射器との作用上の相違を示す説明図である。
【図４】本発明の第２の実施の形態に係る容器兼用注射器を示す縦断面図である。
【図５】図４のロ矢視図である。
【図６】本発明の第３の実施の形態に係る容器兼用注射器を一部縦断面で示す側面図である。
【図７】本発明の第４の実施の形態に係る容器兼用注射器を一部縦断面で示す側面図である。
【図８】本発明の第５の実施の形態に係る容器兼用注射器を一部縦断面で示す側面図である。
【符号の説明】
【００２８】
１，１Ａ，１Ｂ，１Ｃ，１Ｄ  容器兼用注射器
２，１４  フィンガーグリップ
３，１３，１７，１７Ａ  シリンダ
３ａ，１１  装着穴
４  ストッパー
５  プランジャーロッド
６，１２  ストッパー抜け止め部材
１６，１８，２０  ストッパー抜け止め部
７，１８ｃ  ロッド挿通穴
８  円筒状部
１５，１９  筒先
１８ａ  環状突起
Ｄ１，Ｄ３  内径
Ｄ２  外径
Ｌ  長さ
θ１，θ２  振れ（傾斜）角度
【図１】
2005118222.tif 000003
【図２】
2005118222.tif 000004
【図３】
2005118222.tif 000005
【図４】
2005118222.tif 000006
【図５】
2005118222.tif 000007
【図６】
2005118222.tif 000008
【図７】
2005118222.tif 000009
【図８】
2005118222.tif 000010